(57)【要約】  番組がブロックされるべきか、又は許可されると考えられるかどうかを定める評価の制限は、番組コンテンツフィルタリングシステムで選択される。そのため、評価の例についての情報が再生され、前記評価の例に割り当てられた少なくとも１つの推奨の評価が供給される。前記評価の例の許容可能性についてのユーザの指示が検出され、推奨の評価に割り当てられる。ユーザの指示に応じて評価の制限が導き出される。評価に割り当てられるユーザの指示からの１つ以上の評価の制限を導くことが可能な十分なデータを提供する必要がある場合に、前述のステップが繰り返され得る。
2005514818.tif 000002
【特許請求の範囲】
【請求項１】
番組コンテンツフィルタリングシステムで評価の制限を選択するための方法であって、
前記評価の制限は、番組がブロックされるべきか、又は許可されると考えられるかどうかを定め、
評価の例についての情報を再生し、
前記評価の例に割り当てられた少なくとも１つの推奨の評価を供給し、
前記評価の例の許容可能性についてのユーザの指示を検出し、
前記推奨の評価に前記ユーザの指示を割り当て、
前記推奨の評価に前記ユーザの指示を割り当てることに応じて、評価の制限を導く
ことを有する方法。
【請求項２】
請求項１に記載の方法であって、
前記再生し、供給し、検出し、割り当てるステップが、複数の評価の例について繰り返され、
それぞれの複数の推奨の評価が、前記複数の推奨の評価についての複数のユーザの指示と、前記複数の推奨の評価のそれぞれ１つに対する前記複数のユーザの指示の複数の割り当てを提供し、
前記評価の制限を導くステップが、前記複数の割り当てに応じて生じる方法。
【請求項３】
請求項１に記載の方法であって、
前記評価の制限を保存するステップと、
マルチメディアコンテンツと割り当てられた推奨の評価とを有する番組を受け入れるステップと、
前記保存された評価の制限を、前記受け入れられた割り当てられた推奨の評価と比較するステップと、
少なくとも１つの評価の制限を超える番組へのアクセスを拒むステップと
を更に有する方法。
【請求項４】
請求項１に記載の方法であって、
前記番組がテレビ番組であり、
前記番組コンテンツフィルタリングシステムが、ペアレンタル・コントロール・システムである方法。
【請求項５】
請求項４に記載の方法であって、
前記テレビ番組が、アナログテレビ信号として受信され、
前記割り当てられた推奨の評価が、前記アナログテレビ信号の垂直帰線消去期間に受信される方法。
【請求項６】
請求項１に記載の方法であって、
前記推奨の評価が、前記番組が設計された視聴者の年齢、特定の番組コンテンツの程度、又はその組み合わせを定める方法。
【請求項７】
請求項１に記載の方法であって、
前記評価の例についての再生された情報が、ユーザに表示され、
次の：タイトル、説明、トピック、テーマ、画像、要約、短編予告、推奨の評価、推奨の評価の説明
のうちの１つ以上を有する方法。
【請求項８】
請求項１に記載の方法であって、
前記ユーザの指示が多様な程度の許容可能性を有する方法。
【請求項９】
請求項１に記載の方法であって、
前記評価の例についての情報と、前記評価の例に割り当てられた前記推奨の評価とが、電子番組ガイド内で受け入れられる方法。
【請求項１０】
請求項１に記載の方法であって、
前記評価の例についての情報と、前記評価の例に割り当てられた前記推奨の評価とが、受信装置に保存される方法。
【請求項１１】
請求項１に記載の方法であって、
ネットワーク装置について、前記評価の例についての情報と、前記評価の例に割り当てられた前記推奨の評価とが、遠隔サーバに保存される方法。
【請求項１２】
請求項１に記載の方法であって、
前記評価の例についての情報と、前記評価の例に割り当てられた前記推奨の評価とが、通常のＥＰＧ番組スケジュールからユーザによって選択される方法。
【請求項１３】
請求項１に記載の方法であって、
現在の放送番組が、評価の例についての情報として用いられ、
前記現在の放送番組に埋め込まれた推奨の評価の放送が、前記評価の例に割り当てられた前記推奨の評価として用いられる方法。
【請求項１４】
請求項１に記載の方法であって、
導かれた評価の制限の概要が表示される方法。
【請求項１５】
請求項１４に記載の方法であって、
前記導かれた評価の制限が、手動で修正され得る方法。
【請求項１６】
評価の情報を含む番組を受け入れるための手段と、
前記評価の情報と、前記番組のコンテンツフィルタリングを提供するための評価の制限とに応じる制御手段であって、
評価の例についての情報を提供するための手段と、
前記評価の例の許容可能性についてのユーザからの指示に応じて、前記評価の制限を導くための手段と
を有する制御手段と
を有する装置。
【請求項１７】
請求項１６に記載の装置であって、
前記情報を提供する手段が、複数の評価の例についての情報を提供し、
前記評価の制限を導く手段が、前記複数の評価の例のそれぞれ１つの許容可能性についてのユーザからの複数の指示に応じて、前記評価の制限を導く装置。
【請求項１８】
ペアレンタル・コントロール・システムを備えたテレビ装置であって、
評価の制限のアプリケーションを実行するためのプロセッサであって、前記評価の制限のアプリケーションが評価の例を提供し、前記ユーザの指示から評価の制限を導くために、前記評価の例の許容可能性についてのユーザの指示を処理するプロセッサと、
前記評価の例についての情報を再生するスクリーン表示を生成するためのＯＳＤ生成器と、
前記スクリーン表示を表示するためのディスプレイと、
前記評価の例の許容可能性についてのユーザの指示を検出するための入力インタフェースと、
前記導かれた評価の制限を保存するためのメモリと
を有するテレビ装置。
【発明の詳細な説明】
【技術分野】
【０００１】
本発明は、ペアレンタル・コントロール・システムにおける評価の制限を選択するための方法と装置に関するものである。
【背景技術】
【０００２】
テレビ放送は、暴力的又は性的なコンテンツのように、子供に有害になり得るコンテンツを含むことがある。従って、不適切な番組又はチャネルをブロックするために、多様なペアレンタル・コントロール・システムが開発されてきた。
【０００３】
米国においては、ブロッキングシステムが、いわゆるＶチップを用いたテレビコンテンツの勧告（評価）に使用されてきた。評価は、拡張データサービス又はＸＤＳと称されるデータ形式を用いて、ＮＴＳＣテレビ信号の垂直帰線消去期間の間に、特にフィールド２のライン２１の間に、放送局によって符号化される。ＸＤＳデータ形式は、ＮＴＳＣテレビ信号のフィールド１のライン２１に符号化される、米国におけるクローズドキャプションデータの形式と類似する。ＸＤＳとクローズドキャプション情報の双方のデータ形式は、米国家電協会（ＣＥＡ）によって開発されたＥＩＡ−６０８規格に定められている。評価信号は、各ＴＶのショーと共に伝送され、ＴＶ装置に実装されたＶチップシステムによって検出される。前記システムはライン２１データをデコードし、それを許可された評価と比較し、信号をブロックする又はそれを通過させる。ここで、ＴＶ装置、ＴＶシステム、ＴＶセット、及び／又はビデオ信号処理システム若しくは装置は、評価情報を提供するためのＸＤＳデータのような補助情報を含むビデオ又はテレビ信号を処理するための、ディスプレイ装置有り又は無しの何らかのシステムを包含することを意図されていることに留意すべきである。そのようなシステムの例には、テレビ、ＶＣＲ、ＤＶＤ、衛星信号受信機、セットトップボックス、ケーブルボックス等が含まれる。
【０００４】
Ｖチップのようなシステムは、親が２つの異なる評価システム、すなわちＴＶペアレンタル・ガイドライン（ＴＶ  ｐａｒｅｎｔａｌ  ｇｕｉｄｅｌｉｎｅ）と、プレミアムのケーブルチャネルで見える編集されていない映画に使用される米国映画協会（ＭＰＡＡ）の映画の評価とで、ブロックすることを望む評価を確認することを必要とする。
【０００５】
ＴＶペアレンタル・ガイドライン（ＴＶ  ｐａｒｅｎｔａｌ  ｇｕｉｄｅｌｉｎｅ）は、特定の番組が適切であると考えられる年齢のグループを示す年齢に基づく評価と、コンテンツに基づく評価とからなる。
【０００６】
ＴＶペアレンタル・ガイドライン（ＴＶ  ｐａｒｅｎｔａｌ  ｇｕｉｄｅｌｉｎｅ）の年齢に基づく評価は、以下のように規格化される。
ＴＶ−Ｙ：全ての子供、特に２−６歳に適切であるように設計される
ＴＶ−Ｙ７：７歳以上の子供用に設計される
ＴＶ−Ｇ：ほとんどの親が、番組を全ての年齢に適切であると考える
ＴＶ−ＰＧ：親が年下の子供に不適当であると考えることがある素材を含む
ＴＶ−１４：多くの親が１４歳より下の子供に不適切であるとかなえるいくつかの素材を含む
ＴＶ−ＭＡ：大人による視聴に特に設計され、１７歳より下の子供に不適当である
前記の年齢に基づく評価は、より高いレベルの暴力（Ｖ）、性的な場面（Ｓ）、下品な又は無作法な言語（Ｌ）、暗示的な対話（Ｄ）、又は空想暴力（ＦＶ）を備えたコンテンツを示す１つ以上の文字と組み合わせられることがある。例えば、通常より高いレベルの暴力と性的な場面を含むＴＶ−ＰＧと評価されたショーは、ＴＶ−ＰＧ−Ｖ−Ｓとラベル付けされる。
【０００７】
ＭＰＡＡの映画の評価はまた、映画で見出される不敬と暴力と性の量に従って、年齢のグループに分割される。しかし、映画の評価は、前述のテレビの評価と異なり、以下の異なる評価を用いる。
Ｇ：全ての年齢が許可される
ＰＧ：いくつかの素材が、子供に適切でないことがある
ＰＧ−１３：いくつかの素材が、１３歳より下の子供に不適切であることがある
Ｒ：１７歳より下は、同伴の親又は保護者を必要とする
ＮＣ−１７：全ての人が１７歳より上である必要がある
Ｘ：大人に限定される
評価の制限の設定は、通常は２つの異なる評価システムに提示されたスクリーン上の指示を用いて行われる。例えば、映画の評価について、ユーザは、ＰＧ−１３の評価より上の全ての番組がブロックされ、その評価より下の全ての番組が許容できると考えられることを示す“ＰＧ−１３”をハイライトすることがある。ＴＶの評価の制限について、ユーザはまた、年齢に基づく評価、例えば“ＴＶ−１４”を選択しなければならない。更に、ＴＶの評価の制限について、ユーザはまた、特定の形式のコンテンツをブロックするかどうかを判断しなければならず、その場合、コンテンツに基づく評価が多様な年齢に基づく評価と異なって定められることがある。
【０００８】
異なる評価システムと、ＴＶの評価の制限の年齢に基づく評価とコンテンツに基づく評価の多様な可能性のある組み合わせと、評価の制限の抽象的な定義とのため、ユーザは、評価の制限を作るために必要な設定ルーチンにより混乱する傾向にある。従って、家庭の子供が見ることを親が通常許可する番組が、不注意でブロックされ、又は親が通常ブロックしたい番組が、不注意で許可されることがある。このことは、Ｖチップシステムの低い受け入れを結果として生じ、そのことは、実装されていても少数の割合の親のみが前記システムを使用していること意味する。
【発明の開示】
【課題を解決するための手段】
【０００９】
番組がブロックされるべきか、又は許可されると考えられるかどうかを定める評価の制限は、番組コンテンツフィルタリングシステムで選択される。そのため、評価の例についての情報が再生され、前記評価の例に割り当てられた少なくとも１つの推奨の評価が供給される。前記評価の例の許容可能性についてのユーザの指示が検出され、推奨の評価に割り当てられる。ユーザの指示に応じて評価の制限が導き出される。評価に割り当てられるユーザの指示からの１つ以上の評価の制限を導くことが可能な十分なデータを提供する必要がある場合に、前述のステップが繰り返され得る。
【発明を実施するための最良の形態】
【００１０】
本発明の例示的な実施例が、図面に基づいて説明される。
【００１１】
図１は、受信装置、例えばＴＶセット又はセットトップボックスに実装される、ＥＰＧデータを用いた評価の制限の双方向性の設定に適した実施例のハイレベルのブロック図である。本発明と関連した部分のみが記載されており、チューナ又は復調器のような通常の構成要素は示されていない。
【００１２】
ＥＰＧ（電子番組ガイド）デコーダ１１は、ＥＰＧを確立するためのデータと、特に最新の評価の例である評価の制限の双方向性の設定のためのデータとを有する信号を受信する。評価の例のためのデータは、デコードされて、ユーザの要求に応じて後でアクセスされ得る評価の例のデータベース１２に保存される。
【００１３】
入力装置１３は、評価の制限を設定するための双方向性の機能を呼び出すことを可能にする。入力装置１３は、ＴＶセットやセットトップボックスやコンピュータ等のような装置に入力を提供するために利用される何らかの装置であることがある。入力装置１３の例には、リモコン、キーパッド、コンピュータマウス、マイクロフォン、タッチスクリーン、及びそれと同様のものが含まれる。入力インタフェース１４は、プロセッサ１５が入力装置１３からコマンドを受け入れることを可能にする。双方向性の設定を開始するコマンドに応じて、プロセッサ１５は、後述される評価の例を提供するために、評価の制限のアプリケーション１６に含まれる命令を実行する。導入部と評価の例の表示のためのデータが、ディスプレイ装置１８、例えばテレビスクリーンに表示されるそれぞれのスクリーン表示を生成するためのスクリーン表示生成器１７に供給される。
【００１４】
入力装置１３はまた、表示された評価の例の許容可能性についてのユーザの指示を入力することを可能にする。選択された許容可能度が、入力インタフェース１４を用いて検出され、評価の制限のデータベース１９に保存され、前記推奨の評価に割り当てられる。
【００１５】
評価の例のデータベース１２と、評価の制限のアプリケーション１６と、評価の制限のデータベース１９とは、同じメモリ装置１０に保存されることもあり、ランダムアクセスメモリ（ＲＡＭ）、不揮発性メモリ又はバックアップメモリ（例えばプログラム可能メモリ又はフラッシュメモリ）、読み取り専用メモリ（ＲＯＭ）、及びそれと同様のものを含むメモリ装置の組み合わせに保存されることもある。
【００１６】
更なる実施例において、評価の例のデータベース１２は、ＥＰＧデータストリーム内で受信されたデータから受信機で生成されず、受信装置の製造者によって永続的に保存されている。このことは、例えばＥＰＧ機能を有さない装置、又は評価の例のデータを伝送するための追加の機能が利用可能ではないＥＰＧデータストリームにとって有利である。前記例は時代遅れになることがあるが、ＴＶセット等は一般的に一度購入されて設置されると、めったに転売されないため、そのことは重大な欠点になり得ない。
【００１７】
ネットワーク装置を含む更なる実施例において、評価の例のデータベース１２は、装置自体に保存されず、前記情報を保存し、装置自体のメモリを犠牲にすることなく、最新の例を提供する遠隔サーバがアクセスされる
前記実施例において、ユーザは自動的に評価の例を提供されることが可能になり、それはユーザにほとんどの案内を提供する。
【００１８】
他の実施例において、評価の例は、通常のＥＰＧ番組スケジュールからユーザによって選択される。
【００１９】
他の実施例において、現在の放送番組が、評価の例として用いられ、現在の放送番組に埋め込まれた評価が、評価の例に割り当てられた推奨の評価として用いられる。
【００２０】
最後の２つの実施例は、ユーザが確実に知っている例を選出することができるという利点を有し、最も信頼性のある評価を結果として生じる。
【００２１】
図２は、双方向性の設定のための方法のフローチャートを示したものである。前記方法は、図３に示されるような一般的なスクリーン表示で、ステップ２１で始まる。導入部は、評価の制限の双方向性の設定機能と、その機能を使用するための指示とが備えられている。双方向性の設定の前記第１の部分の間に、以前に視聴されたチャネルのビデオ信号が、ＰＩＰ３３として依然として表示されることがある。例の双方向性の評価を始めるために、ユーザは“継続”ボタン３４を押さなければならない。しかし、ユーザが評価の制限の設定を終了したい場合には、ユーザはまた、“中止”ボタン２５を選択することができる。
【００２２】
ステップ２２において、前記方法は、検出されたユーザの選択に応じて、多様な経路で進むことがある。ユーザが“継続”を選択した場合、ステップ２３で評価の例が表示される。図４に示されるものと類似した評価の例がスクリーンに提示される。このスクリーンは、番組の説明４１と、番組と放映分のタイトル４２と、評価４３と、トピックとテーマ（連続番組、子供）４４を含む、番組“Ｔｈｅ  Ｂｏｏｋ  ｏｆ  Ｐｏｏｈ”についての番組情報をユーザに提示する。凡例４５がスクリーンの右上の角に配置され、そのイベントに割り当てられた評価の説明を提供する。このヘルプのテキストは、各番組とともに変化し、常に現在提示されている番組の評価の説明を提示する。
【００２３】
ユーザのタスクは、スクリーンの中央部のスクリーン上のスライダ４６と、リモコンの左矢印キーと右矢印キーを使用して、その番組が家庭の子供による視聴に許容可能であると考えるかどうかを示すことである。スライダのインジケータ４７が左から右に動くと、スライダの下に配置されたテキスト４８が変化して、許容可能度を示す。例えば、
・最も左の位置４９は、“私は私の子供にこの番組を見させない”ことを示すことがある。
・左から２番目の位置４１０は、“私は私の子供にこの番組を見させないことがある”ことを示すことがある。
・中央の位置４１１は、“私は私の子供にこの番組を見させるかどうかわからない”ことを示すことがある。
・右から２番目の位置４１２は、“私は私の子供にこの番組を見させることがある”ことを示すことがある。
・最も右の位置４１３は、“私は私の子供にこの番組を見させる”ことを示すことがある。
【００２４】
前記の例において、ユーザは、インジケータ４７を最も右の位置４１３に配置し、“Ｔｈｅ  Ｂｏｏｋ  ｏｆ  Ｐｏｏｈ”を家庭の子供に見ることを許可することを意味する。
【００２５】
ユーザがその番組を視聴するための許容可能度のレベルを選択すると、ユーザは“設定の継続”４１４又は“設定の終了”４１５のいずれかを選択することがある。その結果、ステップ２４において、前記システムは番組の評価レベルに関する情報と、番組に付され得る何らかのコンテンツの評価と、許容可能性のユーザの指示とを保存する。
【００２６】
次に、設定の継続に関する検出された選択に応じて、ステップ２５前記方法が分かれる。ユーザが設定を継続することを選択した場合、前記方法はステップ２３に戻り、図５に示されるような許容可能度を見るために評価する他の番組を提示する。この第２の例において、ユーザは、子供に“Ｓｔｒｅｅｔ  Ｓｍａｒｔｓ”を見ることを許可するかどうかを示されている。
【００２７】
この処理は、ユーザがいくつかの番組を評価するまで継続し、前記システムは、番組の評価レベルと、番組に付されることがある何らかのコンテンツの評価と、許容可能性のユーザの指示とを追跡し続ける。この方法でいくつかの番組を評価した後に、ユーザが十分な数の番組を評価したと信じると、ユーザは“設定の終了”ボタン４１５を選択することにより、設定ルーチンを終了する。この例において、ユーザはいくつかの番組を評価し、映画“Ａｌｍｏｓｔ  Ｆａｍｏｕｓ”で終了し、それは図６に示される通り、視聴に許容できないと考えられ、設定ルーチンを終了することを判断する。
【００２８】
ユーザが“設定の終了”ボタン４１５を選択すると、前記方法は、ステップ２５からステップ２６に続き、そこで前記システムが取得された全ての情報を集め、評価の制限の作成を完成するために十分な情報が存在するかどうかを判断する。
【００２９】
その結果に応じて、前記方法は、ステップ２７の後の多様な経路に進む。前記システムが十分な情報を有していないことを判断すると、ステップ２８において、ユーザは図７に示されているものと類似したスクリーンを提示され、“設定の継続”ボタン７１を選択することにより番組を評価し続けるか、又は“設定の中止”ボタン７２を選択することにより設定を終了するかのいずれかを行うオプションを有する。従って、ステップ２９の後に、方法のステップ２３に戻るか、設定を終了するかのいずれかによって、前記方法が継続する。
【００３０】
システムが評価の制限を作るために十分な情報を有する場合、その評価は、方法のステップ２１０で作られ、図８に示されるように方法のステップ２１１でユーザに提示される。番組が選択されたバックグラウンドのチャネルで作動しながら、定められた映画の評価の制限８１と、ＴＶの評価の制限８２と、要約されたコンテンツの評価８３とが、ＰＩＰ８４として再度表示されることがある。
【００３１】
次に、ユーザは、“評価を受け入れる”領域８５を使用して提示された評価の制限を受け入れるオプション、又は“評価を編集する”８６を選択した後に評価の制限を編集するオプションを有する。その結果に応じて、前記方法は、ステップ２１２で分かれる。ユーザが評価の制限を受け入れることを選択した場合、前記方法はステップ２１３に進み、その時点から前記制限が放送番組に対して比較され、定められた評価の制限を超えない番組のみの視聴を許可する。ユーザが評価を変更することを選択した場合、ユーザは更なる番組の評価をする選択肢、又は評価尺度を直接変更する選択肢を有する。それに応じて前記方法はステップ２１４で分かれ、更なる番組の評価の場合のステップ２３、又は他のスクリーンを介して評価を変更するためのステップ２１５のいずれかに続く。
【００３２】
取得された情報を集めて、評価の制限の作成を完成するために十分な情報が存在するかどうかを判断するステップ２６において、結果の質を改善するために以下の処理が実行されることがある。
【００３３】
部分的に又は全て同じ推奨の評価を有するいくつかの判断された評価の例について、前記評価の例についてのユーザの指示が平均化されることがある。
【００３４】
全ての評価についてのユーザの指示が行われるまで、ユーザの入力が要求されることがある。その代わりに、処理を速めるために、連続的な評価についてのユーザの指示が判断されるまでのみ、ユーザ入力がまた要求されることがあり、その場合は、あるユーザの指示は所定の制限より低く、他のユーザの指示は所定の制限より高い。しかし、より高いレベルの推奨の評価に対応する評価のユーザの指示が、より低いレベルの推奨の評価に対応する評価のユーザの指示より低い程度の許容可能性を有する場合、更なる評価の例についての更なるユーザ入力が要求されることがある。このように、例えば双方向性の設定機能の誤解、誤った入力、又は監視されていない子供による機能の使用のため、評価が矛盾している場合に評価が適用されないことが確保される。
【００３５】
数字が異なる程度の許容可能性に割り当てられることがあり、それ故に容易な平均化と所定の制限との容易な比較を可能にする。例えば、明確に許可できるものとして評価の例を示したユーザの指示が１の値に対応し、明確に許可できないものとして評価の例を示したユーザの指示が０の値に対応し、所定の制限の値が０．５の値に対応することがある。しかし、より制限された評価のために、所定の制限はその代わりに１に近い値を有することがある。
【００３６】
異なる推奨の評価を有する評価の例が自動的にユーザに供給され、それがより快適であり、より速い収束を生じることがある場合、多様な例を提供する異なる方法が可能である。最低のレベルの推奨の評価を備えた評価の例から始まり、連続的な評価の例は、連続的に増加する推奨の評価のレベルを有することがある。また、最高のレベルの推奨の評価を備えた評価の例から始まり、連続的な評価の例は、連続的に減少する推奨の評価のレベルを有することがある。最後に、中間の推奨の評価を有する評価の例で始まり、連続的な評価の例は、最初の評価の例のユーザの指示が所定の制限より低い場合に、増加したレベルの推奨の評価を有することがあり、連続的な評価の例は、最初の評価の例のユーザの指示が所定の制限より高い場合に、減少したレベルの推奨の評価を有することがある。
【００３７】
中間の程度の許容可能性に対応するユーザの指示の場合、例えば同じ年齢に基づく評価を有するが、異なるコンテンツに基づく評価を有するように、部分的に同じ推奨の評価を有し、又は全く同じ推奨の評価を有する次の評価の例が選択されることがある。ユーザが最初の例を知らず、それ故に中間の程度の許容可能性を選択した場合に、このことは有利であることがある。同じ推奨の評価を有するいくつかの連続的な評価の例について、中間の程度の許容可能性に対応するいくつかのユーザの指示の後に、異なる推奨の評価を有する次の評価の例が選択されることがある。ユーザが例えばその特定の推奨の評価で実際に判断されない場合に、このことは有利であることがある。
【００３８】
本発明は、ユーザが許可又はブロックすることを望むことがある番組の具体的な例をユーザに提供することにより、評価の制限を設定する処理を簡潔にし、それ故に評価の抽象性によって生じる間違いを除去する。このことは、テレビセット、セットトップボックス、ＶＣＲ、ＰＶＲ又はＤＶＤプレイヤのような消費者電気装置で使用され得る。しかし、適した評価の制限が特定されることを仮定すると、本発明はまた、ゲームコンソールの特定のゲームをブロックするために、又はインターネットのウェブサイトとチャットとニュースグループと電子メールとのコンテンツフィルタリングのために使用され得る。
【００３９】
本発明は、ハードウェア又はソフトウェアに実装されることがあり、ソフトウェアの実装はオペレーティングシステムの一部であるばかりでなく、分散されて別のプログラムとしてインストールされることもある。
【図面の簡単な説明】
【００４０】
【図１】ＥＰＧデータを用いた評価の制限の双方向性の設定に適した装置のブロック図である。
【図２】双方向性の設定のための方法のフローチャートである。
【図３】双方向性の設定への導入部のスクリーン表示である。
【図４】双方向性の設定の例のスクリーン表示である。
【図５】双方向性の設定の更なる例のスクリーン表示である。
【図６】双方向性の設定の更なる例のスクリーン表示である。
【図７】追加の情報を求めるメッセージのスクリーン表示である。
【図８】評価の制限の要約のスクリーン表示である。
【図１】
2005514818.tif 000003
【図２】
2005514818.tif 000004
【図３】
2005514818.tif 000005
【図４】
2005514818.tif 000006
【図５】
2005514818.tif 000007
【図６】
2005514818.tif 000008
【図７】
2005514818.tif 000009
【図８】
2005514818.tif 000010
【国際調査報告】
2005514818.tif 000011